(57)【要約】【課題】支持構造体内にシール装置及び／又はタービン部品を保持するための改善された保持装置を提供すること。【解決手段】タービン（１６）用の軸方向保持装置（５０）が開示される。軸方向保持装置（５０）が、タービン部品（３４）及び支持構造体（３２）のうちの一方の合わせ面に結合したラッチ（５２）を含む。ラッチ（５２）は、外向きの付勢を有し且つ軸方向荷重面（７０）を含む。軸方向保持装置（５０）は更に、タービン部品（３４）及び支持構造体（３２）のうちの他方の合わせ面に画成されたポケット（５４）を含む。ポケット（５４）は、ラッチ（５２）を内部に受け入れるように構成され且つ噛み合い軸方向荷重面（７２）を含む。ラッチ（５２）及びポケット（５４）の係合により、軸方向荷重面（７０）及び噛み合い軸方向荷重面（７２）が相互作用することが可能になり、少なくとも１つの方向での支持構造体に対するタービン部品（３４）の軸方向移動が阻止される。【選択図】      図５
2012082827.tif 000002
【特許請求の範囲】
【請求項１】
タービン（１６）用の軸方向保持装置（５０）であって、
タービン部品（３４）及び支持構造体（３２）のうちの一方の合わせ面（５６、５８）に結合したラッチ（５２）にして、外向きの付勢を有し且つ軸方向荷重面（７０）を含むラッチ（５２）と、
前記タービン部品（３４）及び前記支持構造体（３２）のうちの他方の合わせ面（５６、５８）に画成され、前記ラッチ（５２）を内部に受け入れるように構成され且つ噛み合い軸方向荷重面（７２）を含むポケット（５４）と、
を備え、前記ラッチ（５２）及び前記ポケット（５４）の係合により、前記軸方向荷重面（７０）及び前記噛み合い軸方向荷重面（７２）が相互作用することが可能になり、少なくとも１つの方向での前記支持構造体（３２）に対する前記タービン部品（３４）の軸方向移動が阻止される、軸方向保持装置（５０）。
【請求項２】
前記ラッチ（５２）に結合した前記タービン部品（３４）及び支持構造体（３２）のうちの一方の合わせ面（５６、５８）が内部にキャビティ（６４）を画成し、前記ラッチ（５２）が前記キャビティ（６４）に装着される、請求項１記載の軸方向保持装置（５０）。
【請求項３】
前記ラッチ（５２）が枢動点（６０）の周りを枢動可能である、請求項１又は請求項２記載の軸方向保持装置（５０）。
【請求項４】
外向きの付勢を提供するバネ（６２）を更に備える、請求項１乃至請求項３のいずれか１項記載の軸方向保持装置（５０）。
【請求項５】
前記タービン部品（３４）及び前記支持構造体（３２）のうちの一方に付随した止め部（７４）を更に備え、前記止め部（７４）が、前記タービン部品（３４）及び前記支持構造体（３２）のうちの他方と相互作用し、前記支持構造体（３２）に対する前記タービン部品（３４）の軸方向移動が２つの方向で阻止されるように構成される、請求項１乃至請求項４のいずれか１項記載の軸方向保持装置（５０）。
【請求項６】
前記軸方向荷重面（７０）が複数の軸方向荷重面（７０）であり、前記噛み合い軸方向荷重面（７２）が複数の噛み合い軸方向荷重面（７２）であり、前記ラッチ（５２）及び前記ポケット（５４）の係合により、前記複数の軸方向荷重面（７０）及び前記複数の噛み合い軸方向荷重面（７２）が相互作用することが可能になり、２つの方向での前記支持構造体（３２）に対する前記タービン部品（３４）の軸方向移動が阻止される、請求項１乃至請求項５のいずれか１項記載の軸方向保持装置（５０）。
【請求項７】
前記タービン部品（３４）及び前記支持構造体（３２）のうちの他方がアクセス孔（７６）を画成し、前記アクセス孔（７６）が、前記ポケット（５４）から前記ラッチ（５２）を解放するため前記ラッチ（５２）へのアクセスを提供し、少なくとも１つの方向での前記支持構造体（３２）に対する前記タービン部品（３４）の軸方向移動を可能にする、請求項１乃至請求項６のいずれか１項記載の軸方向保持装置（５０）。
【請求項８】
前記ラッチ（５２）は、前記ラッチ（５２）及び前記ポケット（５４）が係合したときに前記アクセス孔（７６）をシールするよう構成されたシール面（７８）を含む、請求項７記載の軸方向保持装置（５０）。
【請求項９】
前記ラッチ（５２）が前記支持構造体（３２）の合わせ面（５８）に結合していて、前記ポケット（５４）が前記タービン部品（３４）の合わせ面（５６）内に画成される、請求項１乃至請求項８のいずれか１項記載の軸方向保持装置（５０）。
【請求項１０】
合わせ面（５８）を有する支持構造体（３２）と、
合わせ面（５６）を有する少なくとも１つのタービン部品（３４）と、
前記少なくとも１つのタービン部品（３４）及び前記支持構造体（３２）のうちの一方の合わせ面（５６、５８）に結合したラッチ（５２）にして、外向きの付勢を有し且つ軸方向荷重面（７０）を含むラッチ（５２）と、
前記少なくとも１つのタービン部品（３４）及び前記支持構造体（３２）のうちの他方の合わせ面（５６、５８）に画成され、前記ラッチ（５２）を内部に受け入れるように構成され且つ噛み合い軸方向荷重面（７２）を含むポケット（５４）と、
を備え、
前記ラッチ（５２）及び前記ポケット（５４）の係合により、前記軸方向荷重面（７０）及び前記噛み合い軸方向荷重面（７２）が相互作用することが可能になり、少なくとも１つの方向での前記支持構造体（３２）に対する前記少なくとも１つのタービン部品（３４）の軸方向移動が阻止される、タービン（１６）。
【請求項１１】
前記ラッチ（５２）に結合した前記少なくとも１つのタービン部品（３４）及び前記支持構造体（３２）のうちの一方の合わせ面（５６、５８）が、内部にキャビティ（６４）を画成し、前記ラッチ（５２）が前記キャビティ（６４）内に装着される、請求項１０記載のタービン（１６）。
【請求項１２】
前記ラッチ（５２）が枢動点（６０）の周りを枢動可能である、請求項１０又は請求項１１記載のタービン（１６）。
【請求項１３】
外向きの付勢を提供するバネ（６２）を更に備える、請求項１０乃至請求項１２のいずれか１項記載のタービン（１６）。
【請求項１４】
前少なくとも１つの記タービン部品（３４）及び前記支持構造体（３２）のうちの一方に付随した止め部（７４）を更に備え、前記止め部（７４）が、前記少なくとも１つのタービン部品（３４）及び前記支持構造体（３２）のうちの他方と相互作用し、前記支持構造体（３２）に対する前記タービン部品（３４）の軸方向移動が２つの方向で阻止されるように構成される、請求項１０乃至請求項１３のいずれか１項記載のタービン（１６）。
【請求項１５】
前記少なくとも１つのタービン部品（３４）及び前記支持構造体（３２）のうちの他方がアクセス孔（７６）を画成し、前記アクセス孔（７６）が、前記ポケット（５４）から前記ラッチ（５２）を解放するため前記ラッチ（５２）へのアクセスを提供し、少なくとも１つの方向での前記支持構造体（３２）に対する前記タービン部品（３４）の軸方向移動を可能にする、請求項１０乃至請求項１４のいずれか１項記載のタービン（１６）。
【発明の詳細な説明】
【技術分野】
【０００１】
本明細書で開示される主題は、全体的に、タービンシステムに関し、より詳細には、タービンシステム内のタービン部品を保持する軸方向保持装置に関する。
【背景技術】
【０００２】
タービンシステムは、発電などの分野において広く利用されている。例えば、従来のガスタービンシステムは、圧縮機、燃焼器、及びタービンを含む。ガスタービンシステムの作動中、システム内の種々の部品は、高温流に曝され、該部品の故障を生じる可能性がある。高温流は一般に、ガスタービンシステムの性能、効率、及び出力の向上をもたらすので、高温でガスタービンシステムが作動できるように、高温流に曝される部品を冷却しなければならない。従って、冷却媒体がガスタービンシステムを流れて、種々の部品を冷却することができる。
【０００３】
更に、タービンシステムの最適な性能及び効率を得るために、高温流及び冷却媒体流は、一般に、互いに閉じ込められるべきである。例えば、タービンシステムのタービンにおいて、タービン部品は、一般に、作動中の内部への高温流の吸込みを阻止するために、高温流から独立して冷却媒体が提供される。加えて、シール装置を利用して、高温流の漏洩からタービン部品を保護し、更に冷却媒体の漏出を阻止することができる。
【０００４】
多くの場合、シール装置及びタービン部品は、タービンにおいて環状支持構造体に装着される。シール装置及びタービン部品は、高温流の漏洩及び冷却媒体の漏出を阻止するために、互いに対して円周方向及び軸方向に位置付けることができる。しかしながら、多くの場合、シール装置及び／又はタービン部品は、支持構造体に対してシフト、滑動、又は係合解除され、場合によっては内部での漏洩又はそこからの漏出を可能にすることがある。この漏洩及び／又は漏出は、タービンシステムの性能及び効率を低下させる可能性があり、更に、システムに対して弊害をもたらす恐れがある。従って、ほとんどの場合、シール装置及びタービン部品は、支持構造体に対してシフト、滑動、又は係合解除される必要はない。
【０００５】
従って、支持構造体内にシール装置及び／又はタービン部品を保持するための改善された保持装置が当該技術分野において求められることになる。例えば、支持構造体に対するシール装置及び／又はタービン部品の軸方向移動を阻止する軸方向保持装置が有利となる。
【先行技術文献】
【特許文献】
【０００６】
【特許文献１】米国特許第７４４２０１１号明細書
【発明の概要】
【発明が解決しようとする課題】
【０００７】
本発明の態様及び利点は、その一部を以下の説明に記載しており、又はその説明から自明なものとすることができ、或いは本発明を実施することにより知ることができる。
【０００８】
一実施形態では、タービン用の軸方向保持装置が開示される。軸方向保持装置が、タービン部品及び支持構造体のうちの一方の合わせ面に結合したラッチを含む。ラッチは、外向きの付勢を有し且つ軸方向荷重面を含む。軸方向保持装置は更に、タービン部品及び支持構造体のうちの他方の合わせ面に画成されたポケットを含む。ポケットは、ラッチを内部に受け入れるように構成され且つ噛み合い軸方向荷重面を含む。ラッチ及びポケットの係合により、軸方向荷重面及び噛み合い軸方向荷重面が相互作用することが可能になり、少なくとも１つの方向での支持構造体に対するタービン部品の軸方向移動が阻止される。
【０００９】
本発明のこれら及び他の特徴、態様、並びに利点は、以下の説明及び添付の請求項を参照するとより理解できるであろう。本明細書に組み込まれ且つその一部を構成する添付図面は、本発明の実施形態を例証しており、本明細書と共に本発明の原理を説明する役割を果たす。
【図面の簡単な説明】
【００１０】
【図１】タービンシステムの概略図。
【図２】本開示の一実施形態に係るタービンシステムのタービンの側断面図。
【図３】本開示の一実施形態に係るタービンシステムのタービンの一部の側断面図。
【図４】本開示の一実施形態に係る支持構造体及び２つのタービン部品の拡大斜視図。
【図５】本開示の一実施形態に係る軸方向保持装置の断面図。
【図６】本開示の別の実施形態に係る軸方向保持装置の断面図。
【発明を実施するための形態】
【００１１】
添付図を参照した本明細書において、当業者に対してなしたその最良の形態を含む本発明の完全かつ有効な開示を説明する。次に、その１つ又はそれ以上の実施例を図面に示している本発明の実施形態について詳細に説明する。各実施例は、本発明の限定ではなく、例証として提供される。実際に、当業者であれば、本発明の範囲又は技術的思想から逸脱することなく、種々の修正及び変形を本発明において実施できる点は理解されるであろう。例えば、一実施形態の一部として例示され又は説明される特徴は、別の実施形態と共に使用して更に別の実施形態を得ることができる。従って、本発明は、そのような修正及び変形を特許請求の範囲及びその均等物の技術的範囲内に属するものとして保護することを意図している。
【００１２】
図１は、タービンシステム１０の概略図である。本明細書で記載されるタービンシステム１０は、一般に、ガスタービンシステムとすることができるが、本開示のタービンシステム１０はガスタービンシステムに限定されず、限定ではないが、蒸気タービンを含むあらゆる好適なタービンシステムが本開示の範囲及び技術的思想内にある点は理解されたい。
【００１３】
従って、図示のシステムは、圧縮機１２、燃焼器１４、及びタービン１６を含むことができる。圧縮機１２及びタービン１６は、シャフト１８によって結合することができる。シャフト１８は、単一のシャフト、或いは共に結合されてシャフト１８を形成する複数のシャフトセグメントとすることができる。
【００１４】
タービン１６は、複数のタービン段を含むことができる。例えば、一実施形態では、タービン１６は、図２に示すように３つの段を有することができる。例えば、タービン１６の第１の段は、複数の円周方向に間隔を置いて配置されたノズル２１と、バケット２２とを含むことができる。ノズル２１は、シャフト１８の周りに円周方向に配置され固定することができる。バケット２２は、シャフト１８の周りに円周方向に配置され、該シャフト１８に結合することができる。タービン１６の第２の段は、複数の円周方向に間隔を置いて配置されたノズル２３と、バケット２４とを含むことができる。ノズル２３は、シャフト１８の周りに円周方向に間隔を置いて配置され固定することができる。バケット２４は、シャフト１８の周りに円周方向に配置され、該シャフト１８に結合することができる。タービン１６の第３の段は、複数の円周方向に間隔を置いて配置されたノズル２５と、バケット２６とを含むことができる。ノズル２５は、シャフト１８の周りに円周方向に間隔を置いて配置され固定することができる。バケット２６は、シャフト１８の周りに円周方向に配置され、該シャフト１８に結合することができる。タービン１６の種々の段は、タービン１６において、高温ガス流２８の経路内に配置することができる。タービン１６は、３つの段に限定されず、あらゆる好適な数の段を有することができる点は理解されたい。
【００１５】
図３及び４に示すように、複数の環状配置されたシール装置３０は、各複数のバケット（例えば、バケット２２又は２４など）と、隣接する複数のバケット（例えば、バケット２４又は２６）との間に設けることができる。シール装置３０は、ガス流２８の経路に対する外側境界を形成するように設けられ、従って、ガス流２８が外側境界を通って移動するのを阻止し、また更に、ガス流２８の経路の外部の冷却流（図示せず）が外側境界を通って経路内に移動するのを阻止することができる。シール装置３０は更に、図３に示すように、ノズル２１、２３、又は２５のような複数のノズルと相互作用することができる。シール装置３０は、必ずしも図３及び４に示すように設計される必要はなく、むしろ、あらゆる好適な装置が本開示の範囲及び技術的思想内にある点は理解されたい。
【００１６】
バケット２２、２４、２６及びシール装置３０は、タービン１６内に保持されなければならない。従って、種々の支持構造体３２は、シール装置３０及び／又はバケット２２、２４、２６など、種々のタービン部品３４と噛み合わせてこれを支持するためにタービン１６内に設けることができる。支持構造体３２は、例えば、バケット２２、２４、２６と噛み合わせるよう構成されたロータディスク３６とすることができる。或いは、支持構造体３２は、例えば、シール装置３０と噛み合わせるよう構成されたスペーサリム構造体とすることができる。
【００１７】
図示のように、タービン部品３４及び支持構造体３２は、タービン部品３４及び支持構造体３２を共に噛み合わせるための噛み合わせ付属部４０及びキャビティ４２を含むことができる。例えば、幾つかの実施形態では、付属部４０は、ダブテールとすることができ、キャビティ４２は、ダブテールを内部に受けるような形状及びサイズにすることができる。一般に、タービン部品３４は、図４に示すように、付属部４０をほぼ軸方向軸線４４に沿ってキャビティ４２内に滑動させることによって、支持構造体３２と噛み合わされる。付属部４０をキャビティ４２内に噛み合わせることにより、ほぼ半径方向及び接線方向で支持構造体３２に対してタービン部品３４の移動が阻止されるが、ほぼ軸方向で支持構造体３２に対するタービン部品３４の移動を阻止することはできない。例えば、付属部４０がキャビティ４２と噛み合わされると、付属部は、第１の方向４６又は第２の方向４８で軸方向軸線４４に沿って自由に移動できる。
【００１８】
従って、図４から６に示すように、軸方向保持装置５０は、支持構造体３２においてタービン部品３４を軸方向に保持するために設けられる。軸方向保持装置５０は、ラッチ５２及びポケット５４を含む。一般に、ラッチ５２は、タービン部品３４及び支持構造体３２のうちの一方に結合させることができ、ポケット５４は、タービン部品３４及び支持構造体３２のうちの他方において画成することができる。例えば、例示的な実施形態では、ラッチ５２は、支持構造体３２に結合させることができ、ポケット５４は、タービン部品３４内に画成することができる。代替の実施形態では、ラッチ５２は、タービン部品３４に結合させることができ、ポケット５４は、支持構造体３２内に画成することができる。
【００１９】
更に、上記で検討したように、複数のタービン部品３４を支持構造体３２の周りに環状アレイで配置することができる。幾つかの実施形態では、各タービン部品３４は、独立ラッチ５２を含み、或いは、独立ラッチ５２と噛み合うよう構成された独立ポケット５４又は支持構造体３２内に含まれもしくは画成される独立ポケット５４を画成することができる。しかしながら、他の実施形態では、図４に示すように、２つの隣接するタービン部品３４は各々、独立ラッチ５２を含むか、又は独立ポケット５４を画成することができ、ラッチ５２及びポケット５４の両方は、支持構造体３２に含まれ又は画成される１つのラッチ５２又はポケット５４と噛み合うように構成することができる。
【００２０】
タービン部品３４は、合わせ面５６を画成することができ、支持構造体３２が合わせ面５８を画成することができる。合わせ面５６、５８は、付属部４０上及びキャビティ４２内で画成することができ、或いは、図５及び６に示すように、付属部４０及びキャビティ４２に隣接して画成することができる。合わせ面５６、５８は、一般に、タービン部品３４及び支持構造体３２が互いに噛み合わされたときに共に噛み合う。ラッチ５２は、タービン部品３４又は支持構造体３２の合わせ面５６又は５８に結合させることができ、ポケット５４は、タービン部品３４又は支持構造体３２の合わせ面５６又は５８の他方において画成することができる。
【００２１】
本開示によるポケット５４は、内部にラッチ５２を受け入れるように構成することができる。例えば、ポケット５４は、ラッチ５２の少なくとも一部を内部に収容するようなサイズ及び形状にすることができ、更に、以下で検討するように、ラッチ５２を係合しこれと相互作用するような種々の特徴部を有することができる。
【００２２】
本開示によるラッチ５２は、ほぼ外向きの付勢を有することができる。「外向き」とは、タービン部品３４又は支持構造体３２など、関連するベース部品からほぼ半径方向に離れる方向を意味する。例えば、幾つかの例示的な実施形態では、図５に示すように、ラッチ５２は、枢動点６０の周りを枢動することができる。従って、ラッチ５２は、枢動点６０の周りに外向きに付勢することができる。他の例示的な実施形態では、図６に示すように、ラッチ５２は、単に、ほぼ半径方向外向きの付勢を有することができる。
【００２３】
更に、幾つかの例示的な実施形態では、軸方向保持装置５０は、バネ６２又は複数のバネ６２を含むことができる。バネ６２は、外向きの付勢を提供することができる。ラッチ５２が枢動点６０を有する実施形態では、バネ６２は、例えば、枢動点６０に位置付けることができ、或いは、枢動点６０から間隔を置いて配置することができる。しかしながら、外向きの付勢は、必ずしもバネによって提供される必要はなく、むしろ外向きの付勢は、あらゆる好適な付勢、張力、又は予荷重装置によって提供されてもよい点は理解されたい。
【００２４】
例示的な実施形態では、図５から６において示すように、ラッチ５２と結合したタービン部品３４又は支持構造体３２の合わせ面５６又は５８は、キャビティ６４内に画成することができる。ラッチ５２は、キャビティ６４内に装着することができる。従って、例示的な実施形態では、ラッチ５２が外向きに付勢されると、ラッチ５２の一部は、合わせ面５６又は５８から突出することができる。更に、例示的な実施形態では、以下で検討するように、ラッチ５２が引き込まれると、ラッチ５２の最上部分は合わせ面５６又は５８で又はその下方に位置することができる。しかしながら、代替の実施形態では、ラッチ５２の最上部分は、引き込み時には合わせ面５６又は５８よりも上に留まることができる。キャビティ６４は更に、側面６６を含むことができる。側面６６は、軸方向軸線４４に沿ったラッチ５２の移動を阻止するようにラッチ５２条の接触点６８と相互作用することができる。
【００２５】
図示のように、ラッチ５２は、軸方向荷重面７０を含むことができ、ポケット５４は噛み合い軸方向荷重面７２を含むことができる。図５及び６に示すように、例えば、軸方向荷重面７０、７２は、ラッチ５２及びポケット５４のほぼ平面な側面とすることができ、これらは、軸方向軸線４４にほぼ垂直とすることができる。しかしながら、軸方向荷重面７０、７２は、あらゆる好適な外形及び／又は方向を有することができる点は理解されたい。一般に、ラッチ５２及びポケット５４の係合により、軸方向荷重面７０、７２の相互作用が可能になり、支持構造体３２に対してタービン部品３４の軸方向移動を少なくとも１つの方向で阻止することができるようになる。例えば、軸方向荷重面７０、７２の相互作用により、図５及び６に示すように、第１の方向４６又は第２の方向４８でタービン部品３４の軸方向移動を阻止することができる。
【００２６】
幾つかの実施形態では、図５に示すように、軸方向保持装置５０は更に、タービン部品３４又は支持構造体３２の一方に付随した止め部７４を含むことができる。止め部７４は、タービン部品３４又は支持構造体３２の他方と相互作用し、支持構造体３２に対してタービン部品３４の別の方向での軸方向移動を阻止し、これにより２つの方向での軸方向移動が防止されるように構成することができる。例えば、止め部７４は、ほぼ平面の側面を有することができ、軸方向軸線４４にほぼ垂直とすることができる。しかしながら、止め部７４は、あらゆる好適な外形及び／又は方向を有することができる点は理解されたい。一般に、ラッチ５２及びポケット５４の係合により、止め部がタービン部品３４又は支持構造体３２の他方の側面と相互作用することができ、支持構造体３２に対してタービン部品３４の軸方向移動を少なくとも１つの方向で阻止することができるようになる。例えば、タービン部品３４又は支持構造体３２の他方との止め部７４の相互作用により、図５に示すように、第２の方向４８又は第１の方向４６でタービン部品３４の軸方向移動を阻止することができる。
【００２７】
別の実施形態では、図６に示すように、ラッチ５２は、複数の軸方向荷重面７０を含むことができ、ポケット５４は、複数の噛み合い軸方向荷重面７２を含むことができる。一般に、ラッチ５２及びポケット５４の係合により、軸方向荷重面７０、７２の相互作用が可能になり、支持構造体３２に対してタービン部品３４の軸方向移動を２つの方向で阻止することができるようになる。例えば、軸方向荷重面７０、７２の相互作用により、図５及び６に示すように、第１の方向４６及び第２の方向４８の両方でタービン部品３４の軸方向移動を阻止することができる。
【００２８】
幾つかの実施形態では、図４から６に示すように、ラッチ５２を含まないタービン部品３４及び支持構造体３２のうちの一方がアクセス孔７６を画成することができる。アクセス孔７６は、ポケット５４からラッチ５２を解放するために該ラッチ５２へのアクセスを提供し、第１の方向４６又は第２の方向４８のような、少なくとも１つの方向で支持構造体３２に対するタービン部品３４の軸方向移動を可能にすることができる。例えば、アクセス孔７６は、ポケット５４からのラッチ５２の引き込みを可能にし、従って、軸方向荷重面７０、７２を係合解除するためのアクセスを提供することができる。一実施形態では、アクセス孔７６は、ロッドのようなツール又は例えば付属部をラッチ５２と相互作用するようにアクセス孔７６を介して設置し、ラッチ５２の引き込みを生じさせることができる。
【００２９】
更に、図５及び６に示す幾つかの実施形態では、ラッチ５２は、シール面７８を含むことができる。シール面７８は、ラッチ５２及びポケット５４が係合したときにアクセス孔７６をシールするよう構成することができる。例えば、シール面７８は、ラッチ５２に隣接するアクセス孔７６の開口にほぼ平行か、及び／又はアクセス孔７６の中心軸線に垂直とすることができる。しかしながら、シール面７８は、ラッチ５２及びポケット５４が係合したときにアクセス孔７６をシールするのに十分なあらゆる好適な外形及び／又は方向を有することができる点は理解されたい。ラッチ５２及びポケット５４が係合すると、シール面７８は、ラッチ５２に隣接するアクセス孔７６の開口に当接し、従って、全体的にアクセス孔７６をシールすることができる。シール面７８は、有利には、タービン部品３４と支持構造体３２との間でアクセス孔７６を通って高温流の漏洩及び／又は冷却媒体の漏出の可能性を阻止又は低減することができる。
【００３０】
有利には、本開示の軸方向保持装置５０は、１つ又はそれ以上の方向で支持構造体３２に対するタービン部品３４の軸方向移動を阻止することができる。軸方向移動を阻止することによって、有利には、タービン部品３４と支持構造体３２との間で高温流の漏洩及び／又は冷却媒体の漏出の可能性を阻止又は低減することができる。
【００３１】
本明細書は、最良の形態を含む実施例を用いて本発明を開示し、更に、あらゆる当業者があらゆるデバイス又はシステムを実施及び利用すること並びにあらゆる包含の方法を実施することを含む本発明を実施することを可能にする。本発明の特許保護される範囲は、請求項によって定義され、当業者であれば想起される他の実施例を含むことができる。このような他の実施例は、請求項の文言と差違のない構造要素を有する場合、或いは、請求項の文言と僅かな差違を有する均等な構造要素を含む場合には、本発明の範囲内にあるものとする。
【符号の説明】
【００３２】
１０  ガスタービンシステム
１２  圧縮機
１４  燃焼器
１６  タービン
１８  シャフト
２１  第１段ノズル
２２  第１段バケット
２３  第２段ノズル
２４  第２段バケット
２５  第３段ノズル
２６  第３段バケット
２８  高温ガス流
３０  シール装置
３２  支持構造体
３４  タービン部品
３６  ロータディスク
３８  スペーサリム構造体
４０  付属部
４２  キャビティ
４４  軸方向軸線
４６  第１の方向
４８  第２の方向
５０  軸方向保持装置
５２  ラッチ
５４  ポケット
５６  合わせ面（タービン部品）
５８  合わせ面（支持構造体）
６０  枢動点
６２  バネ
６４  キャビティ
６６  側面
６８  接触点
７０  軸方向負荷面（ラッチ）
７２  軸方向負荷面（ポケット）
７４  止め部
７６  アクセス孔
７８  シール面
【図１】
2012082827.tif 000003
【図２】
2012082827.tif 000004
【図３】
2012082827.tif 000005
【図４】
2012082827.tif 000006
【図５】
2012082827.tif 000007
【図６】
2012082827.tif 000008